(57)【要約】【課題】本発明は、合法使用の妨害の危険性が低減されるコピープロテクト方法を提供することを目的とする。【解決手段】一般的に、ＤＶＤといった光ディスク（３２）上のコピープロテクションが効果的であるほど、そのコピープロテクションが、その光ディスクの合法使用を逆に妨害する可能性が高くなる。従って、光ディスクのデータエリア（４２）のコンテンツ内に破壊的データ（７４）を含む少なくとも１つの領域を含み、ディスクの通常の再生時にはその破壊的なデータを含む領域のそれぞれへのアクセスを阻止することを提案する。ＤＶＤについて、破壊的なデータは、ビデオオブジェクト（５０）内、及び／又は、ＤＶＤビデオゾーンにおけるファイル間のギャップ（４９）に組み込まれ得る。破壊的なデータを含む領域へのナビゲート可能な経路がないよう構成される。【選択図】図６
2005251379.tif 000002
【特許請求の範囲】
【請求項１】
データエリアにコンテンツと制御データを担持し、前記コンテンツは、１つ以上のコンテンツファイルに配置され、前記制御データは、前記コンテンツへのアクセスを与える、コピープロテクトされた光ディスクであって、
前記データエリア内に、読出し不可能又は破壊的なデータを含む少なくとも１つの領域が与えられ、
前記読出し不可能又は破壊的なデータを含む領域又は各領域へのアクセスは、前記ディスク上の前記コンテンツの通常の再生時には阻止されるコピープロテクトされた光ディスク。
【請求項２】
前記読出し不可能又は破壊的なデータを含む少なくとも１つの領域は、個々のコンテンツファイル内に、又は、コンテンツファイル間に形成される請求項１記載のコピープロテクトされた光ディスク。
【請求項３】
前記読出し不可能又は破壊的なデータを含む少なくとも１つの領域は、２つの隣接するコンテンツファイル間のギャップとして形成される請求項２記載のコピープロテクトされた光ディスク。
【請求項４】
前記コンテンツファイルは、ビデオオブジェクトファイルであり、また、セルに分割されるビデオオブジェクト（ＶＯＢ）から構成され、
前記セルは、プログラムチェーンにおける各ポインタによりアクセスされることが可能である請求項１乃至３のうちいずれか一項記載のコピープロテクトされた光ディスク。
【請求項５】
前記読出し不可能又は破壊的なデータを含む少なくとも１つの領域は、ビデオオブジェクト内の追加セルか、ビデオオブジェクト内或いはビデオオブジェクト間の非構造化領域か、又は、ビデオオブジェクト内の既存のセルとして形成される請求項４記載のコピープロテクトされた光ディスク。
【請求項６】
前記読出し不可能又は破壊的なデータを含む少なくとも１つの領域は、既存のコンテンツとインタリーブされたビデオオブジェクト内に形成される請求項４又は５記載のコピープロテクトされた光ディスク。
【請求項７】
前記読出し不可能又は破壊的なデータを含む少なくとも１つの領域にアクセスするポインタはない請求項１乃至６のうちいずれか一項記載のコピープロテクトされた光ディスク。
【請求項８】
前記読出し不可能又は破壊的なデータを含む少なくとも１つの領域にアクセスするポインタはあるが、前記制御データにより決定されるプログラムチェーンは、前記ディスクの前記コンテンツの通常の再生時には、前記読出し不可能又は破壊的なデータがアクセスされないよう変更される請求項１乃至６のうちいずれか一項記載のコピープロテクトされた光ディスク。
【請求項９】
前記読出し不可能又は破壊的なデータを含む領域又は各領域は、バッファデータと破壊的なデータの両方を含む請求項１乃至８のうちいずれか一項記載のコピープロテクトされた光ディスク。
【請求項１０】
前記領域又は各領域は、破壊的なデータが後に続くバッファデータを含む請求項９記載のコピープロテクトされた光ディスク。
【請求項１１】
前記領域又は各領域は、前記破壊的なデータに続くバッファデータを含む請求項９又は１０記載のコピープロテクトされた光ディスク。
【請求項１２】
前記バッファデータは、非破壊的特性を有する請求項９乃至１１のうちいずれか一項記載のコピープロテクトされた光ディスク。
【請求項１３】
前記読出し不可能又は破壊的なデータは、ＤＳＶ問題を引き起こすよう選択されるデータパターンを含むか又は前記データパターンから構成される請求項１乃至１２のうちいずれか一項記載のコピープロテクトされた光ディスク。
【請求項１４】
前記データパターンは、前記ＤＳＶが有意の絶対値を有することを確実にするよう選択される請求項１３記載のコピープロテクトされた光ディスク。
【請求項１５】
前記データパターンは、高速変化率を有するＤＳＶを生成するよう選択される請求項１３又は１４記載のコピープロテクトされた光ディスク。
【請求項１６】
前記読出し不可能又は破壊的なデータは、前記読出し不可能又は破壊的なデータに関連付けられる不正確な制御データを有する請求項１乃至１５のうちいずれか一項記載のコピープロテクトされた光ディスク。
【請求項１７】
データエリアにコンテンツと制御データを担持し、前記コンテンツは、１つ以上のコンテンツファイルに配置され、前記制御データは、前記コンテンツへのアクセスを与える、コピープロテクトされた光ディスクであって、
前記データエリア内に、読出し不可能又は破壊的なデータを含む少なくとも１つの領域が与えられ、
前記読出し不可能又は破壊的なデータを含む領域又は各領域へのアクセスは、前記ディスク上の前記コンテンツの通常の再生時には阻止され、
前記読出し不可能又は破壊的なデータを含む少なくとも１つの領域は、２つの隣接するコンテンツファイル間のギャップとして形成されるコピープロテクトされた光ディスク。
【請求項１８】
前記コンテンツファイルは、ＤＶＤビデオゾーン内のファイルであり、
前記ギャップは、前記ゾーン内の２つの隣接するファイル間に形成される請求項１７記載のコピープロテクトされた光ディスク。
【請求項１９】
前記制御データは、前記コンテンツファイル間の前記ギャップへのナビゲート可能な経路を与えない請求項１７又は１８記載のコピープロテクトされた光ディスク。
【請求項２０】
前記読出し不可能又は破壊的なデータを含む領域又は各領域は、バッファデータと破壊的なデータの両方を含む請求項１７乃至１９のうちいずれか一項記載のコピープロテクトされた光ディスク。
【請求項２１】
前記読出し不可能又は破壊的なデータは、ＤＳＶ問題を引き起こすよう選択されるデータパターンを含むか又は前記データパターンから構成される請求項１７乃至２０のうちいずれか一項記載のコピープロテクトされた光ディスク。
【請求項２２】
データエリアにコンテンツと制御データを担持し、前記コンテンツは、１つ以上のコンテンツファイルに配置され、前記制御データは、前記コンテンツへのアクセスを与える光ディスクをコピープロテクトする方法であって、
前記データエリア内に、読出し不可能又は他の破壊的データを含む少なくとも１つの領域を与える段階と、
前記読出し不可能又は破壊的データを含む領域又は各領域が、前記ディスク上の前記コンテンツの通常の読出し時にはアクセスされないよう構成する段階と、
を含む、光ディスクをコピープロテクトする方法。
【請求項２３】
前記読出し不可能又は破壊的なデータを含む少なくとも１つの領域は、個々のコンテンツファイル内に、又は、コンテンツファイル間に形成される請求項２２記載の光ディスクをコピープロテクトする方法。
【請求項２４】
前記読出し不可能又は破壊的なデータを含む少なくとも１つの領域は、２つの隣接するコンテンツファイル間のギャップとして形成される請求項２３記載の光ディスクをコピープロテクトする方法。
【請求項２５】
前記コンテンツファイルは、セルに分割されるビデオオブジェクト（ＶＯＢ）から構成されるビデオオブジェクトファイルであり、
前記セルは、プログラムチェーンにおける各ポインタによりアクセスされることが可能である請求項２２乃至２４のうちいずれか一項記載の光学ディスクをコピープロテクトする方法。
【請求項２６】
前記読出し不可能又は破壊的なデータを含む少なくとも１つの領域を、ビデオオブジェクト内の追加セルとしてか、ビデオオブジェクト内か或いはビデオオブジェクト間の非構造化領域としてか、又は、ビデオオブジェクト内の既存のセル内に形成する段階を更に含む請求項２５記載の光ディスクをコピープロテクトする方法。
【請求項２７】
前記読出し不可能又は破壊的なデータを含む少なくとも１つの領域を、既存のコンテンツとインタリーブされたビデオオブジェクト内に形成する段階を更に含む請求項２５又は２６記載の光ディスクをコピープロテクトする方法。
【請求項２８】
前記読出し不可能又は破壊的なデータを含む少なくとも１つの領域にアクセスするポインタはないよう構成する段階を更に含む請求項２３乃至２７のうちいずれか一項記載の光ディスクをコピープロテクトする方法。
【請求項２９】
前記読出し不可能又は破壊的なデータを含む少なくとも１つの領域にアクセスするポインタがあり、
前記方法は、前記ディスクの前記コンテンツの通常の再生時には、前記読出し不可能又は破壊的なデータがアクセスされないよう前記制御データにより決定されるプログラムチェーンを変更する段階を含む請求項２３乃至２７のうちいずれか一項記載の光ディスクをコピープロテクトする方法。
【請求項３０】
前記読出し不可能又は破壊的なデータを含む領域又は各領域内に、バッファデータと破壊的なデータの両方が与えられる請求項２３乃至２９のうちいずれか一項記載の光ディスクをプロテクトする方法。
【請求項３１】
前記破壊的なデータがバッファデータにより囲まれるよう前記領域又は各領域に前記破壊的なデータを形成する段階を更に含む請求項３０記載の光ディスクをコピープロテクトする方法。
【請求項３２】
前記読出し不可能又は破壊的なデータを与えるよう前記データエリアの領域に、ＤＳＶ問題を引き起こすよう選択されるデータパターンを含む段階を更に含む請求項２３乃至３１のうちいずれか一項記載の光ディスクをコピープロテクトする方法。
【請求項３３】
前記データパターンは、前記ＤＳＶが有意の絶対値を有することを確実にするよう選択される請求項３２記載の光ディスクをコピープロテクトする方法。
【請求項３４】
前記データパターンは、高速変化率を有するＤＳＶを生成するよう選択される請求３２又は３３記載の光ディスクをコピープロテクトする方法。
【請求項３５】
前記読出し不可能又は破壊的なデータを与えるよう前記データエリアの領域における制御データを不正確にレンダリングする段階を更に含む請求項２２乃至３１のうちいずれか一項記載の光ディスクをコピープロテクトする方法。
【請求項３６】
データ担持ディスクへの適用のためのコンテンツのボリュームであって、
前記コンテンツは、１つ以上のコンテンツファイル内に配置され、
前記コンテンツは、ナビゲート可能な経路を決定する制御データによりアクセスされることが可能であり、
前記コンテンツファイルは、読出し不可能又は破壊的なデータを含む少なくとも１つの領域を含むよう変更され、
前記ナビゲート可能な経路を決定する制御データは、前記ディスクの通常の再生時には、前記読出し不可能又は破壊的なデータを含む領域又は各領域へのアクセスは阻止されるよう調整される、データ担持ディスクへの適用のためのコンテンツのボリューム。
【請求項３７】
前記領域は、バッファデータと破壊的なデータの両方を含む請求項３６記載のデータ担持ディスクへの適用のためのコンテンツのボリューム。
【請求項３８】
前記領域は、破壊的なデータが後に続くバッファデータ、及び／又は、前記破壊的なデータに続くバッファデータを含む請求項３７記載のデータ担持ディスクへの適用のためのコンテンツのボリューム。
【請求項３９】
前記バッファデータは、非破壊的特性を有する請求項３７又は３８記載のデータ担持ディスクへの適用のためのコンテンツのボリューム。
【請求項４０】
前記読出し不可能又は破壊的なデータを含む少なくとも１つの領域は、個々のコンテンツファイル内に形成されるか、又は、コンテンツファイル間に形成されるか、又は、２つの隣接するコンテンツファイル間のギャップとして形成される請求項３６乃至３９のうちいずれか一項記載のデータ担持ディスクへの適用のためのコンテンツのボリューム。
【請求項４１】
前記コンテンツファイルは、セルに分割されるビデオオブジェクト（ＶＯＢ）から構成されるビデオオブジェクトファイルであり、
前記セルは、プログラムチェーンにおける各ポインタによりアクセスされることが可能である請求項３６乃至４０のうちいずれか一項記載のデータ担持ディスクへの適用のためのコンテンツのボリューム。
【請求項４２】
前記読出し不可能又は破壊的なデータを含む少なくとも１つの領域は、ビデオオブジェクト内か或いはビデオオブジェクト間の非構造化領域として、又は、ビデオオブジェクト内の追加セルとして、又は、ビデオオブジェクト内の既存のセル内に形成される請求項４１記載のデータ担持ディスクへの適用のためのコンテンツのボリューム。
【請求項４３】
前記読出し不可能又は破壊的なデータを含む少なくとも１つの領域は、既存のコンテンツとインタリーブされたビデオオブジェクト内に形成される請求項４１又は４２記載のデータ担持ディスクへの適用のためのコンテンツのボリューム。
【請求項４４】
前記プログラムチェーンは、前記読出し不可能又は破壊的なデータを含む少なくとも１つの領域にアクセスするポインタを含まない請求項４１乃至４３のうちいずれか一項記載のデータ担持ディスクへの適用のためのコンテンツのボリューム。
【請求項４５】
前記プログラムチェーンは、前記読出し不可能又は破壊的なデータを含む少なくとも１つの領域にアクセスするポインタを含むが、前記プログラムチェーンを決定する前記制御データは、前記ディスク上の前記コンテンツの通常の再生時には、前記読出し不可能又は破壊的なデータがアクセスされないよう変更される請求項４１乃至４３のうちいずれか一項記載のデータ担持ディスクへの適用のためのコンテンツのボリューム。
【請求項４６】
前記読出し不可能又は破壊的なデータは、ＤＳＶ問題を引き起こすよう選択されるデータパターンを含むか又は前記データパターンから構成される請求項３６乃至４５のうちいずれか一項記載のデータ担持ディスクへの適用のためのコンテンツのボリューム。
【請求項４７】
前記データパターンは、前記ＤＳＶが有意の絶対値を有することを確実にするよう選択される請求項４６記載のデータ担持ディスクへの適用のためのコンテンツのボリューム。
【請求項４８】
前記データパターンは、高速変化率を有するＤＳＶを生成するよう選択される請求項４６又は４７記載のデータ担持ディスクへの適用のためのコンテンツのボリューム。
【発明の詳細な説明】
【技術分野】
【０００１】
本発明は、コンテンツ及び制御データを担持する光ディスクのコピープロテクト方法、及び、そのようなコピープロテクトされた光ディスクに係る。本発明は更に、データ担持ディスクへの適用のためのコンテンツのボリュームに係る。
【背景技術】
【０００２】
光ディスクをコピープロテクトする技術は多く存在する。例えば、特許文献１は、デジタルオーディオコンパクトディスク（ＣＤ−ＤＡ）上に符号化された制御データを不適当に及び／又は不正確にレンダリングすることにより、そのデジタルオーディオコンパクトディスク上のオーディオデータをコピープロテクトすることを提案する。このＣＤ上に符号化された不適当なデータは、ＣＤ−ＤＡプレイヤにアクセス不可能であるか、又は、ＣＤ−ＤＡプレイヤにより一般的に使用されない。従って、合法なオーディオＣＤは、コンパクトディスク音楽プレイヤ上で通常に再生可能であるが、不適当データは、ＣＤ上のプロテクトされたオーディオデータがＣＤ−ＲＯＭドライブにより再生不可能となるようにする。
【０００３】
上述のコピープロテクト方法は、ユーザが、ＣＤ−ＤＡ上の音楽又は他のオーディオを単純に再生するために合法的にＣＤ−ＲＯＭドライブを使うことを阻止するが、別のコピープロテクト方法も提案されており、この方法は、有効なコピーディスクの製造を阻止する一方で、合法光ディスクを再生する機能を有する全プレイヤ上でのそのような光ディスクの再生を阻止しない又は劣化させない。このようなコピープロテクト方法の例は、特許文献２及び特許文献３に記載される。
【０００４】
これらの更なる方法は、ディスク上の情報に関連付けられる制御データを取り除く、改ざんする、又はそうでなければ不正確にレンダリングする。
【０００５】
光ディスク上に担持されるコンテンツ及び／又は制御データを、そのディスクが信頼度が高く読出し又はコピーされることができないよう故意に破壊する方法がたくさんあることが分っている。しかし、コピープロテクションをより効果的にするほど、そのコピープロテクションが、コピープロテクトされた光ディスクの合法使用を逆に妨害する可能性が高くなるという危険性がある。
【特許文献１】ＷＯ００／７４０５３
【特許文献２】ＷＯ０１／６１６９５
【特許文献３】ＷＯ０１／６１６９６
【発明の開示】
【発明が解決しようとする課題】
【０００６】
本発明は、合法使用の妨害の危険性が低減されるコピープロテクト方法を提供することを目的とする。
【課題を解決するための手段】
【０００７】
本発明の第１の面では、データエリアにコンテンツと制御データを担持し、コンテンツは、１つ以上のコンテンツファイルに配置され、制御データは、コンテンツへのアクセスを与える、コピープロテクトされた光ディスクであって、データエリア内に、読出し不可能又は破壊的なデータを含む少なくとも１つの領域が与えられ、読出し不可能又は破壊的なデータを含む領域又は各領域へのアクセスは、ディスク上のコンテンツの通常の再生時には阻止されるコピープロテクトされた光ディスクを提供する。
【０００８】
本発明のコピープロテクトされた光ディスクの実施例では、ディスク上に与えられる読出し不可能又は破壊的なデータは、通常の再生時にはこれらのデータはアクセスされないのでディスクの任意の合法使用を妨害しない。従って、このことは、最大のコピープロテクションを与えるよう特に有効な読出し不可能又は破壊的なデータをディスクに組み込むことが可能であることを意味する。
【０００９】
光ディスク上のデータがコピーされるとき、データは、一般的に、セクタ毎又はファイル毎にアクセスされる。そして、読出し不可能又は破壊的なデータが、コピー処理を阻止するか或いは著しく遅くするか、又は、結果として得られるコピーディスクを再生不可能とするエラー訂正或いはデータ回復技術を呼び出すことを理解できるであろう。
【００１０】
コンテンツファイルは、コンテンツを含むデータエリアにおける任意の構造を含み得ることを理解できるであろう。同様に、制御データも、制御機能を与える任意のデータを含む。
【００１１】
読出し不可能又は破壊的なデータは、光ディスク上のコンテンツ及び／又は制御データ内であり得、また、一般的に読出し不可能であるか、又は、そうでなければ、光ディスクの再生又は読出しを阻止する任意のタイプのデータであり得る。
【００１２】
１つの実施例では、読出し不可能又は破壊的なデータを含む少なくとも１つの領域は、コンテンツファイル内に、つまり、個々のコンテンツファイル内か、又は、コンテンツファイル間に形成される。
【００１３】
例えば、読出し不可能又は破壊的なデータを含む少なくとも１つの領域は、コンテンツファイル間のギャップとして形成される。
【００１４】
特に、ＤＶＤビデオに適用可能な１つの実施例では、コンテンツファイルは、ビデオオブジェクトファイルであり、また、セルに分割されるビデオオブジェクト（ＶＯＢ）から構成され、セルは、プログラムチェーンにおける各ポインタによりアクセスされることが可能である。
【００１５】
読出し不可能又は破壊的なデータを含む少なくとも１つの領域は、ビデオオブジェクト内の追加セルとしてか、ビデオオブジェクト内か或いはビデオオブジェクト間の非構造化領域としてか、又は、ビデオオブジェクト内の既存のセル内に形成され得る。読出し不可能又は破壊的なデータを含む少なくとも１つの領域は、既存のコンテンツとインタリーブされたビデオオブジェクト内に形成されてもよい。
【００１６】
１つの実施例では、読出し不可能又は破壊的なデータを含む少なくとも１つの領域にアクセスするポインタがない。従って、ＤＶＤ上の映画が再生されると、読出し不可能又は破壊的なデータを含む領域は、その領域へのポインタがないのでアクセスされない。従って、読出し不可能又は破壊的なデータは、映画の再生に干渉することができない。
【００１７】
別の実施例では、読出し不可能又は破壊的なデータを含む少なくとも１つの領域にアクセスするポインタはあるが、制御データにより決定されるプログラムチェーンは、ディスクのコンテンツの通常の再生時には、読出し不可能又は破壊的なデータがアクセスされないよう変更される。この場合、少なくとも１つの領域へのポインタはあるが、読出し不可能又は破壊的なデータは、アクセスされないので、映画の再生を依然として干渉しない。
【００１８】
１つの好適な実施例では、上述したように、セルを含むビデオオブジェクトは、インタリーブブロックを形成するようインタリーブされる。読出し不可能又は破壊的なデータの領域又は各領域は、非再生インタリーブユニット内に形成される。この実施例は、ＤＶＤ上に明白なナビゲート可能な経路を与える周知のインタリーブ技術を使用する。
【００１９】
上述したような選択された実施例は、単独で用いて、コピープロテクトされたディスクを供給するか、又は、実施例の組合わせを単一のコピープロテクトされたディスクに用いてもよい。
【００２０】
例示的に、読出し不可能又は破壊的なデータを含む１つ以上の領域が、ビデオオブジェクト内の既存のセル内に形成される場合、それらの既存のセルにアクセスするポインタが存在する場合でも再生時には読出し不可能又は破壊的なデータがアクセスされないことを確実にするよう制御データを変更することが好都合である。更に、読出し不可能又は破壊的なデータを含む１つ以上の更なる領域を、ビデオオブジェクト内に、１つ以上の非構造化領域に、及び／又は、１つ以上の追加セル内に形成してもよい。これらの読出し不可能又は破壊的なデータの更なる領域のいずれにもアクセスするポインタがないよう構成することが好都合である。
【００２１】
更に、及び、或いは、読出し不可能又は破壊的なデータを含む１つ以上の領域は、コンテンツファイル間のギャップとして形成される。この実施例では、制御データは、コンテンツファイル間のギャップ又は各ギャップへのナビゲート可能な経路を与えない。
【００２２】
コンテンツファイル間のギャップ又は各ギャップは、例えば、ＤＶＤビデオゾーン内のファイルの間に設けられる既存のギャップであり得る。更に、及び／又は、或いは、ギャップは、読出し不可能又は破壊的なデータを受け取るために連続ファイル間に作成されてもよい。
【００２３】
読出し不可能又は破壊的なデータを含む領域又は各領域は、バッファデータと破壊的なデータの両方を含むことが好適である。これは、装置が、光ディスクの通常の再生時に破壊的なデータに遭遇しないことを確実にするためである。
【００２４】
例えば、領域又は各領域は、破壊的なデータが後に続くバッファデータ、及び／又は、破壊的なデータに続くバッファデータを含み得る。
【００２５】
１つの実施例では、バッファデータは、ゼロのセクタといった非破壊的なデータを含む。
【００２６】
例えば、読出し不可能又は破壊的なデータは、ＤＳＶ問題を引き起こすよう選択されるデータパターンを含むか又はそのデータパターンから構成され得る。ＤＳＶパターン及びその使用例は、例えば、ＷＯ０２／１１１３６に記載される。
【００２７】
１つの実施例では、データパターンは、ＤＳＶが有意の絶対値を有することを確実にするよう選択される。
【００２８】
更に、及び／又は、或いは、データパターンは、高速変化率を有するＤＳＶを生成するよう選択される。
【００２９】
更に、及び／又は、或いは、読出し不可能又は破壊的なデータは、読出し不可能又は破壊的なデータに関連付けられる不正確な制御データを有する。例えば、読出し不可能又は破壊的なデータに関連付けられる不正確な制御データは、不正確なエラー訂正コードを含み得る。
【００３０】
更に、及び／又は、或いは、読出し不可能又は破壊的なデータは、タイミングがずらされた波形遷移を含む又は有する。
【００３１】
１つの実施例では、読出し不可能又は破壊的なデータは、更に、及び／又は、或いは、機械的に或いは物理的に破損されたビット或いはセクタを含むか、又は、そのようなビット或いはセクタから構成されてもよい。
【００３２】
読出し不可能又は破壊的なデータは、更に、及び／又は、或いは、その情報コンテンツは不正確にレンダリングされた情報ビット或いは情報ビットのセクタを含むか、又は、そのような情報ビット或いは情報ビットのセクタから構成されてもよい。
【００３３】
本発明は更に、データエリアにコンテンツと制御データを担持し、コンテンツは、１つ以上のコンテンツファイルに配置され、制御データは、コンテンツへのアクセスを与える光ディスクをコピープロテクトする方法にまで及び、この方法は、データエリア内に、読出し不可能又は他の破壊的なデータを含む少なくとも１つの領域を与える段階と、読出し不可能又は破壊的なデータを含む領域又は各領域が、ディスク上のコンテンツの通常の読出し時にはアクセスされないよう構成する段階を含む。
【００３４】
１つの実施例では、読出し不可能又は破壊的なデータを含む少なくとも１つの領域は、個々のコンテンツファイル内に形成される。更に、及び／又は、或いは、少なくとも１つのそのような領域は、コンテンツファイル間に形成され、例えば、２つの隣接するコンテンツファイル間のギャップとして形成される。
【００３５】
ＤＶＤビデオに特に適用可能な１つの実施例では、コンテンツファイルは、セルに分割されるビデオオブジェクト（ＶＯＢ）から構成されるビデオオブジェクトファイルであり、セルは、プログラムチェーンにおける各ポインタによりアクセスされることが可能である。
【００３６】
１つの実施例では、この方法は更に、読出し不可能又は破壊的なデータを含む少なくとも１つの領域を、ビデオオブジェクト内の追加セルとして形成する段階を含む。
【００３７】
更に、及び／又は、或いは、この方法は更に、読出し不可能又は破壊的なデータを含む少なくとも１つの領域を、ビデオオブジェクト内か又はビデオオブジェクト間の非構造化領域として形成する段階を含む。
【００３８】
更に、及び／又は、或いは、この方法は更に、読出し不可能又は破壊的なデータを含む少なくとも１つの領域を、ビデオオブジェクト内の既存のセル内に形成する段階を含む。
【００３９】
別の実施例では、この方法は更に、読出し不可能又は破壊的なデータを含む少なくとも１つの領域を、既存のコンテンツとインタリーブされたビデオオブジェクト内に形成する段階を更に含む。
【００４０】
この方法は更に、読出し不可能又は破壊的なデータを含む少なくとも１つの領域にアクセスするポインタはないよう構成する段階を更に含む。
【００４１】
更に、及び／又は、或いは、読出し不可能又は破壊的なデータを含む少なくとも１つの領域にアクセスするポインタがある場合、この方法は、ディスクのコンテンツの通常の再生時には、読出し不可能又は破壊的なデータがアクセスされないよう制御データにより決定されるプログラムチェーンを変更する段階を含む。
【００４２】
単独で用いても、又は、上述した実施例と組合わされて用いてもよい１つの実施例では、この方法は更に、読出し不可能又は破壊的なデータを含む少なくとも１つの領域を、コンテンツファイル間のギャップとして形成する段階を含む。例えば、この方法は更に、制御データがコンテンツファイル間のギャップ又は各ギャップにナビゲート可能な経路を与えないよう構成する段階を含み得る。
【００４３】
コンテンツファイル間のギャップは、既存するか、又は、読出し不可能又は破壊的なデータを受け入れるよう作成されてもよい。
【００４４】
バッファデータと破壊的なデータの両方が、領域又は各領域に与えられることが好適である。
【００４５】
１つの実施例では、この方法は更に、破壊的なデータがバッファデータにより囲まれるよう領域又は各領域に破壊的なデータを形成する段階を含む。
【００４６】
読出し不可能又は破壊的なデータを与える１つの方法又は複数の方法は、必要に応じて選択され得る。例えば、この方法は、コンテンツファイルの領域に、ＤＳＶ問題を引き起こすよう選択されるデータパターンを含む段階を含んでもよい。
【００４７】
例えば、データパターンは、ＤＳＶが有意の絶対値を有することを確実にする、及び／又は、高速変化率を有するＤＳＶを生成するよう選択され得る。
【００４８】
更に、及び／又は、或いは、この方法は、読出し不可能又は破壊的なデータを与えるようコンテンツファイルの領域における制御データを不正確にレンダリングする段階を含んでもよい。
【００４９】
例えば、読出し不可能又は破壊的なデータを結果としてもたらす不正確なデータは、不正確なエラー訂正コードを含む。
【００５０】
本発明の方法は更に、及び／又は、或いは、コンテンツファイルの領域におけるデータを読出し不可能又は破壊的とするためにそのデータに、タイミングがずらされた波形遷移を含む段階を含んでもよい。
【００５１】
更に、及び／又は、或いは、この方法は、コンテンツファイルの領域内のビット又はセクタを機械的に又は物理的に破損する段階を更に含んでもよい。
【００５２】
更に、及び／又は、或いは、この方法は、その情報コンテンツは不正確にレンダリングされる情報ビット又は情報ビットのセクタを、コンテンツファイルの領域内に含む段階を更に含んでもよい。
【００５３】
本発明の更なる面では、データ担持ディスクへの適用のためのコンテンツのボリュームを提供し、コンテンツは、１つ以上のコンテンツファイル内に配置され、コンテンツは、ナビゲート可能な経路を決定する制御データによりアクセスされることが可能であり、コンテンツファイルは、読出し不可能又は破壊的なデータを含む少なくとも１つの領域を含むよう変更され、ナビゲート可能な経路を決定する制御データは、ディスクの通常の再生時には、読出し不可能又は破壊的なデータの領域又は各領域へのアクセスは阻止されるよう調整される。
【００５４】
本発明の実施例のボリュームコンテンツは、コンテンツのためのコピープロテクションを与えるよう符号化され、例えば、ＤＶＤに適用されてもよい。
【００５５】
１つの実施例では、領域又は各領域は、バッファデータと破壊的なデータの両方を含む。バッファデータは、コンテンツのボリュームが符号化された光ディスクをナビゲートするときに破壊的なデータにプレイヤが誤って遭遇することがないことを確実にするよう用いられ得る。
【００５６】
１つの実施例では、領域又は各領域は、破壊的なデータが後に続くバッファデータ、及び／又は、破壊的なデータに続くバッファデータを含む。
【００５７】
バッファデータは、ゼロのセクタを含むことが好適である。
【００５８】
１つの実施例では、読出し不可能又は破壊的なデータを含む少なくとも１つの領域は、個々のコンテンツファイル内に、コンテンツファイル間に、及び／又は、２つの隣接するコンテンツファイル間のギャップとして形成される。
【００５９】
１つの実施例では、読出し不可能又は破壊的なデータを含む少なくとも１つの領域は、ビデオオブジェクト内又はビデオオブジェクト間の非構造化領域として形成される。
【００６０】
別の実施例では、読出し不可能又は破壊的なデータを含む少なくとも１つの領域は、ビデオオブジェクト内の追加セルとして形成される。
【００６１】
更に、及び／又は、或いは、読出し不可能又は破壊的なデータを含む少なくとも１つの領域は、ビデオオブジェクト内の既存のセル内に形成される。
【００６２】
読出し不可能又は破壊的なデータを含む少なくとも１つの領域は、既存のコンテンツとインタリーブされたビデオオブジェクト内に形成されてもよい。
【００６３】
プログラムチェーンは、読出し不可能又は破壊的なデータを含む少なくとも１つの領域にアクセスするポインタを含まないことが好適である。
【００６４】
プログラムチェーンが、読出し不可能又は破壊的なデータを含む少なくとも１つの領域にアクセスするポインタを含む場合、プログラムチェーンを決定する制御データは、ディスク上のコンテンツの通常の再生時には、読出し不可能又は破壊的なデータがアクセスされないよう変更される。
【００６５】
更に、及び／又は、或いは、読出し不可能又は破壊的なデータを含む少なくとも１つの領域は、コンテンツファイル間のギャップとして形成する。この場合、制御データは、コンテンツファイル間のギャップ又は各ギャップにナビゲート可能な経路を与えない。
【００６６】
コンテンツファイル間のギャップ又は各ギャップは、既存するか、又は、読出し不可能又は破壊的なデータを受け入れるよう作成されてもよい。
【００６７】
１つの実施例では、読出し不可能又は破壊的なデータは、ＤＳＶ問題を引き起こすよう選択されるデータパターンを含むか又は前記データパターンから構成される。例えば、データパターンは、前記ＤＳＶが有意の絶対値を有することを確実にするよう選択され得る。更に、及び／又は、或いは、データパターンは、高速変化率を有するＤＳＶを生成するよう選択され得る。
【００６８】
追加の及び／又は別の実施例では、読出し不可能又は破壊的なデータは、そのデータに関連付けられる不正確制御データであり得る。
【００６９】
例えば、読出し不可能又は破壊的なデータに関連付けられる不正確な制御データは、不正確なエラー訂正コードを含み得る。
【００７０】
更に、及び／又は、或いは、読出し不可能又は破壊的なデータは、タイミングがずらされた波形遷移を含み得る。
【００７１】
別の及び／又は追加の実施例では、読出し不可能又は破壊的なデータは、機械的又は物理的に破損されたビット或いはセクタを含むか、又は、そのようなビット或いはセクタから構成される。
【００７２】
更に、及び／又は、或いは、読出し不可能又は破壊的なデータは、その情報コンテンツは不正確にレンダリングされる情報ビット或いは情報ビットのセクタを含むか、又はそのような情報ビット或いは情報ビットのセクタから構成される。
【発明を実施するための最良の形態】
【００７３】
本発明の実施例を、例示的に、添付図面を参照しながら以下に説明する。
【００７４】
本発明は、一般的に光ディスクに適用可能であるが、本願では、ＤＶＤフォーマットを参照しながら説明する。
【００７５】
ＤＶＤに適用されるユーザデータをフォーマット化する処理は、合意された協定に基づきよく理解されている。しかし、明確にするために、そのデータがＤＶＤ規格に基づいてフォーマット化される方法を以下に簡単に説明する。この処理は、ＤＶＤの全フォーマットに適用可能である。
【００７６】
図１は、ＤＶＤに適用されるユーザデータをフォーマット化する際に行われる段階を示す。このユーザデータは、ディスクに書込みされ、また、ディスクからアクセスされるべき情報であり、また、テキスト、グラフィック、ビデオ、オーディオ、プログラム、並びに他のコンテンツ、及び、制御データを含み得る。図１に示すように、ユーザデータは、それぞれ２，０４８バイトを含むブロック１０にまとめられる。フォーマット化における第１の段階は、ユーザデータの各ブロック１０を、２，０６４バイトを有する対応データフレーム１２内に組み込むことである。余分なバイトは、識別及びエラー訂正コードを組み込む。
【００７７】
図１に更に示すように、データフレーム１２は次に、スクランブルフレーム２２を形成するようスクランブルされる。このスクランブリングにより、データの繰り返されるシーケンスは除去される。このスクランブリングは、第１のテーブルで１６の連続データフレームをＸＯＲし、次に、第２のテーブルで次の１６の連続データフレームをＸＯＲし、以後同様にすることにより行われ得る。スクランブルフレーム２２は、従って、１６×１６のデータフレーム１２を含む。
【００７８】
次に、ＥＣＣブロック２４がエラー訂正符号化により形成され、この符号化では、１６の連続スクランブルフレーム２２は、それぞれ１７２バイトを有する１９２の横列を有するアレイに配置される。１７２の縦列のそれぞれに１６バイトの「外部パリティ（outer  parity）」が追加され、結果として得られる２０８の縦列のそれぞれに１０バイトの「内部パリティ（inner  parity）」が追加される。これらのパリティバイトは、周知の且つ理解されているエラー訂正技術技術による横列及び縦列にあるデータに関連するエラー訂正コードである。
【００７９】
ＥＣＣブロック２４は次に、１６の記録フレーム２６を作成するようインタリーブ手段に入力される。これらの記録フレーム２６は、ＥＣＣブロック２４からの横列をインタリーブすることにより作成される。従って、ＥＣＣブロック２４に含まれる３７，８５６バイトは、１６の記録フレームＲ０、Ｒ１、Ｒ２、…に再構成される。各記録フレームは、２，３３６バイトを有する。各記録フレームＲは、１８２の縦列を有するので、それぞれ１３の横列からなる１６の記録フレームがある。
【００８０】
記録フレーム２６は、次に、ＥＦＭプラス符号化され、それにより、ビットのシーケンス、即ち、一連の０と１が生成される。その後、データは、１６の物理セクタ２８に配置される。図２に、１つの物理セクタ２８を示す。図面から分るように、各記録フレームからのＥＦＭプラス符号化されたデータは、真ん中で分けられ、４バイトの同期化コードＳ０及びＳ１が各半分の横列の前に挿入される。その後、結果として得られるビットのシーケンス３０は、ディスク３２に適用される。
【００８１】
ＥＦＭプラス符号化は、８から１６の変調でデータを処理する。つまり、各８ビットのバイトは、１６ビットのバイトに変換される。これは、４つのテーブルのセットから各１６ビットのコードを選択することにより行われる。符号化は、ＤＳＶ（デジタル合計値）を低レベルに維持するよう構成される。
【００８２】
ビットストリーム３０は、ピットとランドを形成する適切なマスタリング手段によりディスク３２に書込みされる。この点について、ＤＶＤライタでは、マスタリング手段は、一般的にレーザビームレコーダであり得る。レーザビームレコーダは更に、ハウスのマスタリングにも用いられるが、別のマスタリング技術もあり、また、用いてもよい。
【００８３】
図３は、ピット６を示すＤＶＤの拡大部分を示す。周知であるように、これらのピットは、ディスク３２の表面上のスパイラルトラックに沿って延在し、ランドにより離される。
【００８４】
ＤＶＤ上のデータは、スパイラルトラックに沿って配置される。図４に示すように、このデータは、リードイン４０、データエリア４２、及びリードアウト４４を有するよう構成される。
【００８５】
ＤＶＤ上のデータの構造は、規格の対象であり、また、当業者には周知である。従って、本発明に関連するＤＶＤビデオのデータ構造の部分についてのみ本願にて説明且つ図示する。図４に更に示すように、データエリア４２は、データエリア４２内の構造及びデータのコンテンツを識別するボリューム記述子４６を含む。このボリューム記述子４６の後には、ＤＶＤビデオゾーン４３と可能である場合は他のＤＶＤゾーン４５が続く。ＤＶＤビデオゾーン４３は、ビデオマネジャ（ＶＭＧ）、及び、幾つかのビデオタイトルセット（ＶＴＳ）といった構造を含む。情報ファイル（ＩＦＯ）４８が、ビデオマネジャ（ＶＭＧ）と、各ビデオタイトルセット（ＶＴＳ）内に設けられ、また、ビデオオブジェクト（ＶＯＢ）５０へのナビゲーションを実現するシンタックスを与える。周知であるように、各ビデオオブジェクト５０は、ビデオ、オーディオ、及び他のコンテンツストリームといったＭＰＥＧストリームを含む。他のコンテンツストリームは、例えば、テキスト及びグラフィックを含んでもよい。ビデオオブジェクト５０は更に、ビデオオブジェクト内のデータが検索されることを可能にする制御データと共にそのコンテンツの提示を制御する制御データも含む。ビデオオブジェクト５０は、ビデオタイトルセットＶＴＳ＃１におけるタイトルのビデオオブジェクトのセット（ＶＴＳＴＴ＿ＶＯＢ）を構成する。ＶＴＳＴＴ＿ＶＯＢは、そのサイズは、１ＧＢを超えないビデオオブジェクトファイル５１に分割される。
【００８６】
図５は、ビデオタイトルセット（ＶＴＳ）の構造を示し、また、ＤＶＤにおいて、例えば、１つのビデオオブジェクト５０内に格納される映画がどのようにアクセス且つナビゲートされ、それにより再生されるのかを説明する。
【００８７】
図５では、ＤＶＤビデオ構造におけるファイル間の全ての接続及びポインタが説明されているわけではない。図５では、どのように１つのビデオオブジェクト５０がアドレス指定されるのかを説明する。
【００８８】
図５に示す構造には、タイトル５４のコレクションを含むビデオタイトルセット（ＶＴＳ）５２がある。各タイトル５４は、１つ以上のプログラムチェーン５６を含む。図５では、タイトル５４「タイトルｙｙ」が、選択されたビデオオブジェクト５０をアドレス指定し、また、このことをプログラムチェーンｘにより行う。各プログラムチェーン５６は、一般的に順番に従って再生されるよう配置される５８のような幾つかの個々のプログラムを含む。各プログラム５８は、６０のような１つ以上のポインタを有し、各ポインタ６０は、対応するビデオオブジェクトの特定の部分をアドレス指定する。
【００８９】
図５に図示するように、各ビデオオブジェクト５０は、幾つかの個々のセル７０に分割される。一般的に、各プログラム５８は、ポインタ６０により、ビデオオブジェクト５０のセル７０のうちの個別の１つを指し示す。しかし、図５に示すように、プログラム１のように１つのプログラム５８が、セル１／１及び１／２のように２つのセル７０をアドレス指定する１つ以上のポインタ６０、例えば、２つのポインタを有することも可能である。この構成は、一般的に、プログラム５８が、当該のプログラムチェーン５６により順番に従って再生されるように、ビデオオブジェクト５０内のセル７０も同様に順番にアクセスされる。
【００９０】
図６は、図５の構成と同様の構成を示すが、図６に図示するＤＶＤは、本発明の１つの実施例によりコピープロテクトされている。図５と図６を比較して分るように、構造化されていない領域７２が、ビデオオブジェクト５０の２つのセル７０間に挿入されている。図６に更に示すように、７４に示す破壊的データが、非構造化領域７２内に組み込まれる。非構造化領域において破壊的データ７４の両側にはバッファ領域７６がある。
【００９１】
ビデオオブジェクト５０の非構造化領域７２内の破壊的データ７４は、光ディスク上の領域７２のコンテンツを読出し又は再生するドライブを停止する又は破壊するか、及び／又は、光ディスクからのデータのコピーを停止する又は著しく遅くするか、及び／又は、ディスク上のデータの有効コピーが行われることを阻止する任意のデータであり得る。この要件に見合う破壊的データの例は、不適当なエラー訂正コードを有するデータ、及び、故意に改ざんされた情報を含む。このデータは、ＤＳＶ問題を引き起こすよう選択される、例えば、ＤＳＶが有意の絶対値を有する、及び／又は、ＤＳＶが高速変化率を有することを確実にするよう選択されるデータパターンであり得るか、又は、このデータパターンを含んでもよい。ＤＳＶデータパターンとそれが引き起こす問題に関する記載は、例えば、ＷＯ０２／１１１３６に与えられる。タイミングがずらされた波形遷移を有するデータを与えることも追加として、及び／又は、代替として可能である。
【００９２】
概して、コンテンツ及び／又は制御データであり得るデータの値は、光ディスクへのそのデータの符号化の間に変更され、それにより、破壊的データが生成されることが期待される。しかし、光ディスク上のビット又はビットのセクタを、機械的又は物理的に破損することにより光ディスク上に破壊的データを与えることも追加として、及び／又は、代替として可能である。
【００９３】
改ざんされ、また、従って、本発明の実施例において使用するための破壊的データを供給するデータの例は、例えば、ＷＯ００／７４０５３、ＷＯ０１／６１６９５、及びＷＯ０１／６１６９６に記載される。このような破壊的データのうちのいずれか又は全部を、本発明に用いてもよい。
【００９４】
当然ながら、破壊的データは、オリジナルディスク上に与えられたのならば、合法目的で光ディスクを再生する又は使用しようとする装置に対し問題を引き起こしてしまい得る。従って、図６に示すように、例えば、装置による再生時といった光ディスク１０の通常の使用時には、破壊データ７４は決してアクセスされないことを確実にする処置が取られる。この点について、図６に示すように、メインプログラムチェーン５６において、非構造化領域７２を指すポインタ６０がない。図６を考慮することにより分るように、更に、例えば、プログラムチェーン５６が実行されると、装置は、非構造化領域７２にナビゲートしない。このように、破壊的データは、ディスクの通常の再生を破壊する危険性なくディスク上に与えられることが可能である。
【００９５】
上述したように、非構造化領域７２内の破壊的データ７４の両側には、バッファ領域７６がある。この点について、一部の装置は、ディスクを再生するときに、先行して読出しする。従って、ビデオオブジェクトファイル５０の第１のセルにアクセスし、次に第２のセルにアクセスするようにされた装置は、次のセルを見つけるべく先を探し得る。そして、図６の構成では、非構造化領域７２に遭遇し得る。このようなルックアヘッド技術が破壊的データ７４に遭遇する危険性がないよう、バッファデータのエリアを設けている。一般的に、バッファゾーン７６内のデータは、非破壊的特性を有し、例えば、複数のゼロを含む。
【００９６】
従って、上述から、７４のような破壊的データがディスクの通常の再生に悪影響を与える危険性がなくその破壊的データをＤＶＤに与えることが可能であることが理解できるであろう。
【００９７】
図６に示すようなコピープロテクトされたディスクから、ディスク上のビデオ及びオーディオコンテンツを再生するのではなく、データを読出しすることが試みられると、ＤＶＤをコピーするよう構成される多くの市販される装置は、ディスク上の全データを抽出しようとする。コピーは、一般的に、セクタ毎又はファイル毎に行われる。例えば、装置は、ディスク上の各セクタにアクセスし、そのセクタにおけるデータを抽出する。従って、コピー動作時には、装置は、非構造化領域７２にアクセスする。非構造化領域７２における破壊的データ７４が、ディスクの読出し動作を失敗させる又は顕著に遅くさせることが可能となる。或いは、破壊的データは、その装置が作ることが可能な如何なるコピーも概して再生不可能となることを意味するエラーフラグを生成してもよい。
【００９８】
非構造化領域７２へのナビゲーションがないよう構成されるだけでなく、その領域の存在又は箇所に関する情報が、情報ファイル４８内には明示的に含まれていない。
【００９９】
或いは、非構造化領域に関する一部の情報は、図８に示すビデオタイトルセット情報（ＶＴＳＩ）テーブル９０内に含まれる場合もある。例えば、領域７２のための余剰のエントリは、ＶＴＳ＿ＶＯＢＵ＿ＡＤＭＡＰテーブル内に組み込まれ得る。
【０１００】
図６に示すように、破壊的データ７４は、ビデオオブジェクト５０内にバッファゾーン７６も有する非構造化領域７２を挿入することにより、ビデオオブジェクト５０内に含まれ得る。本発明の発展例では、また、図６ａを参照して以下に説明するように、破壊的データは、或いは、絶対にアクセスされない構造化されたセル内に含まれてもよい。つまり、破壊的データの領域は、既存又は追加であるが、再生されないセル内に挿入されてもよい。一般的に、破壊的データの周りにはバッファゾーンが設けられることが好適である。
【０１０１】
破壊的データが、既存の又は追加のセル内に挿入される場合、これは、ＶＴＳＴＴ＿ＶＯＢＳのサイズを増加する。ＶＴＳＴＴ＿ＶＯＢＳが分割された結果得られるビデオオブジェクトファイル５１のサイズが、許容される最大サイズ（１ＧＢ）を超えると、ビデオオブジェクトファイル５１の境界は動かされるか、及び／又は、新しいビデオオブジェクトファイル５１が作成され得る。
【０１０２】
図７及び８は、ビデオマネジャ情報ファイル（ＶＭＧＩ）４８及びビデオタイトルセット情報ファイル（ＶＴＳＩ）４８におけるテーブルを示す。これらのテーブルは、上述したように、破壊データの領域を組み込むよう変更され得る。
【０１０３】
図７は、ＤＶＤのＶＭＧ情報ファイル４８内に見付けられるビデオマネジャ情報（ＶＭＧＩ）テーブル８０を示す。このテーブル８０は、当業者にはおなじみであり、従って、本願ではこれ以上説明しない。
【０１０４】
図６、７、及び８を参照して説明した例では、破壊的データ７４とバッファエリア７６を含み、ｘセクタの全体サイズの非構造化領域７２が、ＶＴＳｎに挿入されることが想定される。そして、ビデオマネジャＩＦＯ（ＶＩＤＥＯ＿ＴＳ．ＩＦＯ）内であるタイトル検索ポインタテーブル（ＴＴ＿ＳＲＰＴ）において、ＶＴＳｎ＋１以降に含まれる全てのタイトルについてのＶＴＳ開始セクタの値は、ｘ分増加される。
【０１０５】
図８は、ビデオタイトルセット情報（ＶＴＳＩ）テーブル９０を示し、これは、ＶＴＳ情報ファイル４８内に含まれる。テーブル９０に行われるべき変更は以下に説明する。
【０１０６】
ＶＴＳｎのＩＦＯファイル（ＶＴＳ＿ｎ＿０．ＩＦＯ）内に与えられるビデオタイトルセット情報管理テーブル（ＶＴＳＩ＿ＭＡＴ）において、ＶＴＳの最後のセクタの値は、ｘ分増加される。
【０１０７】
破壊的及びバッファデータ７４、７６のｘ個のセクタが、ＶＯＢ５０におけるセルａ＋１の直ぐ前に挿入され、セルａか或いはセルａ＋１、又は、両方のセルがインタリーブブロック内にないとすると、セルａ＋１以降を指す各ポインタに対し、セル開始セクタ、セル最後セクタ、及び、最後のＶＯＢＵの開始セクタに対する値は、ビデオタイトルセットプログラムチェーン情報テーブル（ＶＴＳ＿ＰＧＣＩＴ）内のセル再生情報テーブル（Ｃ＿ＰＢＩＴ）において、ｘ分増加される。セルａ＋１、ａ＋２のうちのいずれかが、インタリーブブロック内にある場合、ＶＴＳ＿ＰＧＣＩＴにおける第１のインタリーブされたユニット（ＩＬＶＵ）の終了セクタの値も、ｘ分増加されるべきである。インタリービングを以下に説明する。
【０１０８】
ビデオタイトルセットセルアドレステーブル（ＶＴＳ＿Ｃ＿ＡＤＴ）において、セルａ＋１から始まる各セルについてのセル開始セクタ及びセル終了セクタの値は、ｘ分増加される。
【０１０９】
更に、ＶＴＳ＿ＴＭＡＰＴテーブル及びＶＴＳ＿ＶＯＢＵ＿ＡＤＭＡＰテーブルにおいて、セルａ＋１の開始セクタの値以上である全てのセクタ値は、ｘ分増加される。
【０１１０】
更に、提示制御情報（ＰＣＩ）と、挿入後のＶＴＳＴＴ＿ＶＯＢＳにおける全てのＶＯＢＵのナビゲーションパックにおけるデータ検索情報（ＤＳＩ）において、セクタ番号の値は、ｘ分増加される。
【０１１１】
テーブル８０及び９０を変更するためのこれらの提案は、破壊データ７４の非構造化領域が、ＤＶＤのビデオオブジェクトファイル５１内に挿入され得る方法を示す１つの例を表すことを理解するものとする。
【０１１２】
２つのセル間に挿入される非構造化領域としてビデオオブジェクト５０内に破壊的データを配置する代わりに、図６ａに示すように追加セル７２が、例えば、セルａ（図６ａではセル１／２）とセルａ＋１（図６ａではセル１／３）との間に挿入されるならば、以下のように更なる調整を行う必要がある。
【０１１３】
図６ａに７２と示す追加セルには、ＶＯＢと、セル１／３と示すセルＩＤが割当てられる。従って、セルａ＋１とそれ以降のセルに対するセルＩＤは調整される必要があり、セルａ＋１以降に対するＶＯＢ  ＩＤも変更される必要がある。ＶＯＢ及びセルＩＤについての情報を含む全てのテーブルが、変更を必要とする。これらのテーブルには、ＶＴＳＩテーブル９０におけるＶＴＳ＿ＰＧＣＩＴテーブル内のセル位置テーブル（Ｃ＿ＰＯＳＩＴ）と、ＶＴＳＩテーブル９０におけるＶＴＳ＿Ｃ＿ＡＤＴテーブル内のＶＴＳセルピース情報（ＶＴＳ＿ＣＰＩ）エントリを含む。更に、変更は、ＶＴＳＴＴ＿ＶＯＢＳにおける各ＶＯＢＵのナビゲーションパックに含まれるＤＳＩ内のＤＳＩ一般情報（ＤＳＩ＿ＧＩ）に行われてもよい。更に、追加セルについての追加のエントリは、ＶＴＳ＿Ｃ＿ＡＤＴに追加され、また、追加セルが構成されるＶＯＢＵについての追加のエントリは、ＶＴＳ＿ＶＯＢＵ＿ＡＤＭＡＰ内に含まれ得る。
【０１１４】
上述した実施例では、破壊的データは、ビデオオブジェクト５０内に挿入される非構造化領域及び／又は追加セル内に与えられる。更に、及び／又は、或いは、破壊的データは、１つ以上の既存のセル内に組み込まれてもよい。既存のセルが既にデータを含む場合、破壊的データは、既存のデータを破壊的データにより上書きすることにより既存のセル内に挿入され得る。上述と同様に、ディスク上のコンテンツの再生時に、破壊的データを組み込む既存セルへのナビゲーションがないことが確実にされなければならない。当然ながら、上書きされた任意のデータも、ディスク上のコンテンツの再生時に必要でないことも確実にされなければならない。
【０１１５】
図６及び６ａに示す実施例では、破壊的データは、ビデオオブジェクト５０内に挿入される。更に、及び／又は、或いは、破壊的データを、ディスク上のコンテンツの再生時の通常のナビゲーションがあるコンテンツファイルの他の領域に含むことも可能である。上述したように、且つ、図６ｂに示すように、ＤＶＤビデオゾーン４３は、ビデオマネジャ（ＶＭＧ）と、様々なファイルから構成される幾つかのビデオタイトルセット（ＶＴＳ）を含む。これらのファイルには、例えば、与えられた情報ファイル（ＩＦＯ）４８によるナビゲーションがある。
【０１１６】
更に、及び／又は、或いは、破壊的データを、ディスクのコンテンツの再生時にはナビゲーションのないデータエリアの他の領域に含むことも可能である。一部のシンタックスでは、ギャップ４９がファイル間に設けられ、破壊的データは、そのようなギャップ４９の中に挿入されてもよい。そのようなギャップ４９にはナビゲーションが与えられないことは理解されるであろう。
【０１１７】
更に、及び／又は、或いは、図６ｂに示すようなギャップ４９は、ＤＶＤビデオゾーン４３のファイル間に挿入されてもよく、その場合、破壊的データは、その作成されたギャップ内に挿入され得る。図６ｂは、ギャップ４９が挿入され得る場所を示す。
【０１１８】
ギャップ４９のための空間は、画像構築処理の前に、ＶＩＤＥＯ＿ＴＳフォルダ内のＶＭＧＩ及び／又は関連のＶＴＳＩにおける開始セクタアドレスの値を調整することにより割当てられることが可能である。というのは、これらの値が、ＤＶＤビデオゾーン４３におけるファイルの場所を決定するからである。例えば、ＶＩＤＥＯ＿ＴＳ．ＩＦＯファイルとＶＩＤＥＯ＿ＴＳ．ＶＯＢファイル間にサイズｘのギャップ４９を作成するためには、ＶＭＧＩ（ＶＩＤＥＯ＿ＴＳ．ＩＦＯ）内のＶＭＧ管理テーブルＶＭＧＩ＿ＭＡＴにおけるＶＭＧＭ＿ＶＯＢＳの開始アドレスの値が、ｘ分増加される。更に、ＶＭＧＩ内であるタイトル検索ポインタテーブル（ＴＴ＿ＳＲＰＴ）において、全てのタイトルについてのＶＴＳ開始セクタの値が、ｘ分増加される。或いは、ギャップは、画像構築処理の後に与えられてもよい。
【０１１９】
図９ａ及び９ｂは、単一のＤＶＤに、例えば、映画の２つ以上のバージョンを効率よく担持させることを可能にする周知の技術を説明する。映画は、ビデオオブジェクト５０内に格納され、映画の両方のバージョンに共通の材料は、空間を節約するために、ディスク上に１つのみ存在する。２つのバージョンが分かれるところでは、それらのコンテンツは、ディスク再生時にディスクを再生している装置に要求されるジャンプのサイズが十分に小さく、コンテンツのシームレス再生が可能であるようインタリーブされる。
【０１２０】
従って、図９ａ及び９ｂは、１つの映画の２つのバージョンの再生の一部を示し、図９ａは、例えば、劇場公開版である第１のバージョンの再生を示し、図９ｂは、例えば、ディレクターズカットである拡大バージョンの再生を示す。従って、第１のビデオオブジェクト５０（ＶＯＢ１）のセル１／１、１／２、１／３は、両方のバージョンに共通であるが、図９ａでは、劇場公開版は、第２のビデオオブジェクト（ＶＯＢ２）を構成するセル２／１を再生し、次に、第４のビデオオブジェクト（ＶＯＢ４）の第１のセル４／１に移動する。対照的に、図９ｂに示すように、拡大バージョンは、第２のビデオオブジェクト（ＶＯＢ２）、従って、セル２／１を省略し、その代わりに、第３のビデオオブジェクト（ＶＯＢ３）におけるセル３／１及び３／２を再生する。
【０１２１】
図１０は、図９ａ及び図９ｂに説明するビデオタイトルセット（ＶＴＳ）の構造を示し、ディスク上の図９ａ及び９ｂのセル２／１及び３／１及び３／２の配置を示す。図１０に示すように、第２及び第３のビデオオブジェクトＶＯＢ２及びＶＯＢ３は、３つのインタリーブユニット（ＩＬＶＵＳ）を形成するようそれぞれ３つの部分に分割され、１５０に示すようにインタリーブされる。効果は、セル２／１を、セル３／１とセル３／２にインタリーブすることである。
【０１２２】
図１０に示すように、２つのプログラムチェーン５６を含むプログラムチェーンブロック１００を設ける。第１のプログラムチェーンＰＧＣ１は、図９ａに示すように映画の劇場公開版を再生する。一方、第２のプログラムチェーンＰＧＣ２は、図９ｂに示すディレクターズカットバージョンを再生する。
【０１２３】
図１０を考慮して分るように、プログラムチェーンＰＧＣ１が実行されると、セル１／１、１／２、１／３、２／１、及び４／１が再生される。従って、第１のプログラムチェーンＰＧＣ１の第４のプログラムＰＧ４のポインタ、セル４は、セル２／１を構成する３つのユニット（ＩＬＶＵ）にアクセスし、望まないインタリーブされたセル３／１及び３／２を効果的にジャンプする。同様に、第２のプログラムチェーンＰＧＣ２が実行されると、セル１／１、１／２、１／３、３／１、３／２、及び４／１が再生され、それにより、図９ｂに示すディレクターズカットが再生される。
【０１２４】
図１１及び１２に示すように、このインタリーブ技術は、上述したようにコピープロテクト技術の別の実施例を与えるよう用いることが可能である。従って、図１１に示すように、再生されるべきコンテンツを有するセルを、単一の連続的なナビゲーション可能な経路に沿って与える。しかし、図１２に示すように、破壊的データを含む追加のセル３／１が与えられる。特に、１つ以上のＩＬＶＵ１５４に分割される追加のビデオオブジェクトＶＯＢ３が与えられ、この場合、１つ以上のＩＬＶＵ１５４が破壊的データを含み、既存のコンテンツデータとインタリーブされる。
【０１２５】
２つのビデオオブジェクトＶＯＢ  ２及びＶＯＢ  ３から構成され、インタリーブされたインタリーブブロック１５６を示す図１２に、ディスク上の破壊的データの配置を示す。このインタリーブブロック１５６は、第１のビデオオブジェクト５０と第４のビデオオブジェクトの間に挿入される。図１１から分るように、セル１／２は、再生可能な情報を含む。このセル１／２には、新しいＶＯＢ  ＩＤが割当てられ、効果的に分割され、破壊的データのＩＬＶＵとインタリーブされる。図示するように、ポインタは、破壊的データの領域を越えるようドライブをナビゲートする。更に、バッファゾーン及び他の技術を破壊的データ領域と共に用いて、破壊的データ領域が、ディスクの通常の再生を妨害しないことが確実にされる。
【０１２６】
破壊的データは、光ディスクをドライブが読出し及び再生することを停止する任意のデータであり得、また、上述したいずれの例にも応じるものであり得る。
【０１２７】
図１１、１２、及び１３は、インタリーブブロック１５６を作成する方法、また、前後のバッファリングデータを含む破壊的データを、非再生インタリーブユニット（ＩＬＶＵ）に配置する方法を説明する。図１１は、１つの再生経路１３０のみを有するオリジナル材料を示す。図１１は更に、当該のビデオタイトルセットＶＴＳ１の対応論理構造も示す。図示するように、単一の当該のビデオタイトルセットＶＴＳ１は、３つのプログラムＰＧ１、ＰＧ２、ＰＧ３と、ＶＴＳＴＴ＿ＶＯＢＳにおける連続ブロック１３４を指し示す３つのポインタセル１、セル２、セル３を有する１つのプログラムチェーンＰＧＣ１を有する。尚、一般的に、プログラムチェーンＰＧＣ１の実行は、セル１／１、１／２、及び１／３を順番に再生する。即ち、再生は経路１３０に沿って行われる。
【０１２８】
図１２は、破壊的データ１５４を、セル３／１内に与える様子を示し、セル３／１には、ナビゲーション経路はない。図１２は更に、当該のビデオタイトルセットＶＴＳ１の論理的構造を示す。図１２のナビゲーション可能経路１３０は、セル１／１、２／１、及び４／１を含むことが分る。破壊的データを含むセル３／１は、非ナビゲーション可能経路１３０’に与えられる。図１１と同様に、図１２の構造は、３つのプログラムＰＧ１、ＰＧ２、及びＰＧ３と、３つのポインタセル１、セル２、セル３を有する１つのプログラムチェーンＰＧＣ１を有する。上述したように、第３のビデオオブジェクト内の破壊的データ１５４は、非再生インタリーブユニット１５４を有するインタリーブブロック１５６を形成するよう第２のビデオオブジェクトとインタリーブされる。
【０１２９】
ポインタセル１、セル２、セル３のいずれもＩＬＶＵ１５４にアクセスしないことが分る。従って、図１２の構造の再生は、再生経路１３０に沿い、また、破壊的データ１５４はアクセスされない。しかし、上述したように、図１２におけるような構造を有するディスクを、セクタ毎又はファイル毎にコピーしようと試みると、読出し動作を失敗させる又は顕著に遅くするか、又は、再生不可能なコピーを生成する。
【０１３０】
図１３は、ＶＴＳＴＴ＿ＶＯＢＳにおける連続ブロック１３４からインタリーブブロック１５６の作成の１つの実施例を示す。この点について、また、周知であるように、インタリーブを効果的に行うために、新しいビデオオブジェクトを作成する必要がある。図１３は、ＶＴＳＴＴ＿ＶＯＢＳにおけるオリジナルセル１／１、１／２、及び１／３（１３４）を示す。セル１／２は、セル１／２と１／３との間に挿入されるクローン１３６を生成するようクローン化される。この点について、セルをクローン化するのではなく、他の材料を、ＶＴＳＴＴ＿ＶＯＢＳに挿入してもよい。
【０１３１】
追加のセル又は材料が挿入されると、新しいセルＩＤ及びビデオオブジェクトＩＤが割当てられる。図１３に示すように、４つの領域即ちセル１／１、１／２、１／２、及び１／３に、新しいＶＯＢ及びセルＩＤが割当てられる。第２及び第３のビデオオブジェクトＶＯＢ２及びＶＯＢ３は、それぞれ等しい数のインタリーブユニットに分割され、これらは、図１３に示すようにインタリーブされる。
【０１３２】
更に、ＶＴＳＴＴ＿ＶＯＢＳにおけるＶＯＢＵのナビゲーションパック、及び、当該のビデオタイトルセットＶＴＳに対するＶＭＧＩ並びにＶＴＳＩにおけるテーブルが、これらの変更を達成させるよう調整される必要がある。
【０１３３】
上述したように、本発明の１つの実施例によるコピープロテクト技術のために、破壊的データを非再生インタリーブユニットに与えることが必要とされる。従って、図１３に示す技術を用いて形成される図１２の構成では、破壊的データは、図１２に示すようにセル３／１内に組み込まれる。
【０１３４】
図１４は、ＶＴＳＴＴ＿ＶＯＢＳ内に既に存在するインタリーブブロック内に破壊的データが挿入されたビデオタイトルセットを示す。従って、ＶＯＢ２及び３は既に、オリジナルＶＴＳＴＴ＿ＶＯＢＳにおいてインタリーブされている。次に、更なるインタリーブＶＯＢが追加される。図示するように、ＶＯＢ２と３とインタリーブされる追加のＶＯＢには、ＶＯＢ  ＩＤ＝４が割当てられ、ＶＯＢ  ＩＤ５は、オリジナルＶＯＢ４に割当てられる。破壊的データ１５４は、新しいＶＯＢ４の１つ以上の非再生インタリーブユニットに挿入される。上述と同様に、新しいＶＯＢ４にはナビゲーション可能な経路はない。
【０１３５】
説明した実施例では、光ディスクは、例えば、コンテンツファイル内の又はコンテンツファイル間のデータ領域に破壊的データを組み込み、その破壊的データには、ナビゲーション可能な経路がつながらないことを確実にすることにより、コピープロテクトされる。このことは、光ディスクは、問題なく再生可能であるが、特に、セクタ毎又はファイル毎にコピーすることによる有効なコピーを製造することを阻止することを確実にする。
【０１３６】
追加の又は代替の技術は、破壊的データへのポインタを設けるが、再生時に破壊的データを含む領域はアクセスされないようプログラムに関連付けられる制御データを変更することである。例えば、図１２に示す構造では、セル３／１へのポインタ（図示せず）がプログラムチェーンＰＧＣ１内に与えられ得る。しかし、セル３／１の再生が阻止されるよう好適なプレコマンド又は他の構成がなされる。この技術は、各プログラム経路を識別し、そのプログラム経路によりアクセスされるセルをコピーすることによりコピーするコピー装置によるコピーを阻止するのに効果的である。
【０１３７】
上述した実施例の改良及び変更を、本願の範囲内において行ってもよいことを理解するものとする。
【図面の簡単な説明】
【０１３８】
【図１】ＤＶＤディスクへのデータの書込みを説明するフローチャートである。
【図２】ＤＶＤディスクに書込みされるデータのフォーマット化の間に形成される物理セクタを示す図である。
【図３】ＤＶＤの表面の一部を示す拡大図である。
【図４】ＤＶＤ上のデータの構造を示す図である。
【図５】ＤＶＤのビデオタイトルセット（ＶＴＳ）の構造を示す図である。
【図６】図５と類似するが、ビデオオブジェクトに非構造化領域を与えることによるコピープロテクションを示すＤＶＤのビデオタイトルセット（ＶＴＳ）の構造を示す図である。
【図６ａ】図６と類似するが、ビデオオブジェクトへの追加が追加セルであるＤＶＤのビデオタイトルセット（ＶＴＳ）の構造を示す図である。
【図６ｂ】図６と類似するが、ＤＶＤビデオゾーンにおけるファイル間にギャップを設けたＤＶＤのビデオタイトルセット（ＶＴＳ）の構造を示す図である。
【図７】ビデオマネジャ情報ファイル（ＶＭＧＩ）におけるテーブルを示す図である。
【図８】ビデオタイトルセット情報ファイル（ＶＴＳＩ）におけるテーブルを示す図である。
【図９ａ】ビデオオブジェクトをインタリーブすることにより再生経路を与える図である。
【図９ｂ】ビデオオブジェクトをインタリーブすることにより別の再生経路を与える図である。
【図１０】図９ａ及び図９ｂに示す技術のインタリービングを用いるビデオタイトルセット（ＶＴＳ）の構造を示す図である。
【図１１】１つの連続的ナビゲーション可能回路に配置されるコンテンツについてのビデオタイトルセットを示す図である。
【図１２】図１１に示すような構造への破壊的データの供給を示す図である。
【図１３】インタリーブブロックの作成を示す図である。
【図１４】既存のインタリーブブロックへのインタリーブされた破壊的データの供給を示す図である。
【符号の説明】
【０１３９】
６      ピット
４０    リードイン
４２    データエリア
４３    ビデオゾーン
４４    リードアウト
４５    他のビデオゾーン
４６    ボリューム記述子
４８    情報ファイル
４９    ギャップ
５０    ビデオオブジェクト
５１    ビデオオブジェクトファイル
５２    ビデオタイトルセット
５４    タイトル
５６    プログラムチェーン
５８    プログラム
６０    ポインタ
７０    セル
７２    非構造化領域
７４    破壊的データ
７６    バッファ領域
８０    ビデオマネジャ情報（ＶＭＧＩ）
９０    ビデオタイトルセット情報（ＶＴＳＩ）
１００  プログラムチェーンブロック
１３０  再生経路
１３４  連続ブロック
１５４  破壊的データ
１５６  インタリーブブロック
【図１】
2005251379.tif 000003
【図２】
2005251379.tif 000004
【図３】
2005251379.tif 000005
【図４】
2005251379.tif 000006
【図５】
2005251379.tif 000007
【図６】
2005251379.tif 000008
【図６ａ】
2005251379.tif 000009
【図６ｂ】
2005251379.tif 000010
【図７】
2005251379.tif 000011
【図８】
2005251379.tif 000012
【図９ａ】
2005251379.tif 000013
【図９ｂ】
2005251379.tif 000014
【図１０】
2005251379.tif 000015
【図１１】
2005251379.tif 000016
【図１２】
2005251379.tif 000017
【図１３】
2005251379.tif 000018
【図１４】
2005251379.tif 000019